(57)【特許請求の範囲】
【請求項１】
発熱負荷としての電子機器が収納されたラック内に装置全体が収容されるラックマウント式冷却装置であって、
前記冷却装置は、吸い込み空気を冷却する冷却部と、該冷却部において吸い込み空気を冷却する際に生ずる発熱を放出する放熱部と、該放熱部より放出された暖気を装置外部に排出する外部排気ダクトと、前記外部排気ダクトに連通するように形成され前記放熱部より放出された暖気を前記吸い込み空気の一部により前記外部排気ダクトに誘導する内部排気ダクトとを有することを特徴とするラックマウント式冷却装置。
【請求項２】
前記冷却部と前記放熱部とを一体化し、かつ装置全体をユニット化したことを特徴とする請求項１に記載のラックマウント式冷却装置。
【請求項３】
装置本体の外部に吸い込み空気及び冷却空気いずれか一方または双方の方向を調整する気流ガイドを有することを特徴とする請求項１または２のいずれかに記載のラックマウント式冷却装置。
【発明の詳細な説明】
【０００１】
【発明の属する技術分野】
本発明は、電子機器等の発熱負荷が収納されたラック内に収容されるラックマウント式冷却装置に関する。
【０００２】
【従来の技術及び発明が解決しようとする課題】
データセンタ等の電子機器が収納された複数ラックが設置された室内において、電子機器からの発熱を冷却する冷却装置は室内単位で設置されているため、発熱密度が特に高いラックでは冷却能力が不足する場合がある。
また、従来の冷却装置は室内単位で設置されているため、同一ラック内で発熱量が高い電子機器を効果的に冷却することができなかった。
【０００３】
本発明はこのような事情に鑑みてなされたものであり、発熱密度の高いラックを個別に冷却することができ、かつ発熱量の高い電子機器を効果的に冷却することが可能なラックマウント式冷却装置を提供することを目的とする。
【０００４】
【課題を解決するための手段】
上記目的を達成するために、請求項１に記載の発明は、発熱負荷としての電子機器が収納されたラック内に装置全体が収容されるラックマウント式冷却装置であって、前記冷却装置は、吸い込み空気を冷却する冷却部と、該冷却部において吸い込み空気を冷却する際に生ずる発熱を放出する放熱部と、該放熱部より放出された暖気を装置外部に排出する外部排気ダクトと、前記外部排気ダクトに連通するように形成され前記放熱部より放出された暖気を前記吸い込み空気の一部により前記外部排気ダクトに誘導する内部排気ダクトとを有することを特徴とする。
【０００５】
また、請求項２に記載の発明は、請求項１に記載のラックマウント式冷却装置において、前記冷却部と前記放熱部とを一体化し、かつ装置全体をユニット化したことを特徴とする。
【０００６】
また、請求項３に記載の発明は、請求項１または２のいずれかに記載のラックマウント式冷却装置において、装置本体の外部に吸い込み空気及び冷却空気いずれか一方または双方の方向を調整する気流ガイドを有することを特徴とする。
【０００７】
【発明の実施の形態】
以下、本発明の実施形態を、図面を参照して詳細に説明する。本発明の実施形態に係るラックマウント式冷却装置の構成を図１及び図２に示す。図１は本発明の実施形態に係るラックマウント式冷却装置の平面図であり、図２はその正面図である。
【０００８】
これらの図において、本発明の実施形態に係るラックマウント式冷却装置（以下、単に冷却装置と記す）１は、吸い込み空気を冷却する冷却部１０Ａ、１０Ｂと、該冷却部１０Ａ、１０Ｂにおいて吸い込み空気を冷却する際に生ずる発熱を放出する放熱部１２Ａ、１２Ｂと、該放熱部１２Ａ、１２Ｂより放出された暖気を装置外部に排出する外部排気ダクト１８と、外部排気ダクト１８に連通するように形成され放熱部１２Ａ、１２Ｂより放出された暖気を前記吸い込み空気の一部により外部排気ダクト１８に誘導する内部排気ダクト１６と、電源部１４とを有しており、装置全体がユニット化されている。電源部１４は、冷却部１０Ａ、１０Ｂ及び放熱部１２Ａ，１２Ｂを駆動するための電源である。
【０００９】
冷却装置１は、発熱負荷としての電子機器が収納されたラック内に装置全体を収容して使用される。図３に冷却装置１がラック２０内に収容されている状態を示す。同図に示すように、ラック２０内には、発熱負荷となる電子機器３０Ａ，３０Ｂ，３０Ｃが収納されており、これらの電子機器の下方に冷却装置１が収容されている。また、ラック２０の天井部には複数の換気ファン２２，２４、２６、２８が取り付けられている。
【００１０】
図１乃至図３において、換気ファン２２，２４、２６、２８を駆動することにより、ラック２０の下部から吸い込まれた空気は冷却装置１内の冷却部１０Ａ，１０Ｂにより冷却され、この冷却された空気はラック２０における冷却装置１の上方に収納されている電子機器３０Ａ，３０Ｂ，３０Ｃに発生した放熱を冷却する。そしてこの放熱を冷却することにより、換気ファン２２、２４、２６、２８に向けて通過し、換気ファン２２、２４、２６、２８により吐出され、ラック２０の外部に放出される。
【００１１】
また、冷却部１０Ａ，１０Ｂによる冷却時に放熱部１２Ａ，１２Ｂより放出された暖気は、冷却装置１に吸い込まれる空気の一部による空気流により内部排気ダクト１６に誘導され、外部排気ダクト１８を介して換気ファン２２、２４、２６、２８により吐出され、ラック２０の外部に放出される。
ラック２０内の冷却能力を上げるために冷却装置１を複数台、ラック２０内に搭載した場合の構成を図４に示す。
【００１２】
図４において、ラック２０内において熱負荷となる電子機器３０Ａ、３０Ｂの下方に冷却装置１Ａを、熱負荷となる電子機器３０Ｃ、３０Ｄの下方に冷却装置１Ｂを設置する。１８Ａ，１８Ｂは外部排気ダクトである。冷却装置１Ａ、冷却装置１Ｂの構成は図１、図２に示した冷却装置１と同一である。図３と同一の構成要素には同一の符号を付してある。
【００１３】
このように、ラック２０内に搭載する、ユニット化された冷却装置の台数を増加させることにより容易に電子機器等の熱負荷が収納されたラック内の冷却能力を高めることができる。
また、発熱量の大きい電子機器の直下に冷却装置を設置することにより特定の電子機器を効果的に冷却することができる。
【００１４】
また、図５は、ラック内において、発熱負荷３０Ａと発熱負荷３０Ｂとの間に設置された冷却装置１に気流ガイドを設けた例について示している。同図に示すように冷却装置１の装置本体に上面及び底面にそれぞれ、角度調整可能に設けられた複数のガイド板１００からなる気流ガイド１００Ａ，１００Ｂを設けることにより冷却装置１に導入される吸い込み空気、冷却装置１から吐出される冷却空気の方向を調整することができ、発熱負荷３０Ａと発熱負荷３０Ｂの特定部位を効果的に冷却することができる。
【００１５】
冷却装置をラックに取り付けた状態を図６に示す。冷却装置１は、図６に示すようにラックに取り付けられているラックマウント用金具２００Ａ，２００Ｂ，２００Ｃ，２００Ｄに螺子２０２により取り付けられ、ラックに取り付けられているフレーム３００Ａ、３００Ｂ、３００Ｃ、３００Ｄに螺子３０２により取り付けられる。図６（Ａ）は正面図、図６（Ｂ）は平面図である。
【００１６】
以上に説明したように、本実施形態に係るラックマウント式冷却装置によれば、ラック内で吸い込んだ空気により冷却装置自体を冷却するように構成したので、ユニット化することができ、装置全体をラック内に収納することができる。
また、装置全体をラック内に収納することができるので、既設の空調設備では冷却能力が不足するような発熱密度の高いラックを個別に冷却することができる。
【００１７】
さらに、ラック内に搭載する冷却装置の台数を増加させることにより、容易に冷却能力を向上させることができる。
また、ラック内において、冷却装置を発熱量の大きい装置（熱負荷）の直下に設置することにより、効果的に当該装置を冷却することができる。
【００１８】
【発明の効果】
請求項１に記載の発明では、発熱負荷としての電子機器が収納されたラック内に装置全体が収容されるラックマウント式冷却装置であって、前記冷却装置は、吸い込み空気を冷却する冷却部と、該冷却部において吸い込み空気を冷却する際に生ずる発熱を放出する放熱部と、該放熱部より放出された暖気を装置外部に排出する外部排気ダクトと、前記外部排気ダクトに連通するように形成され前記放熱部より放出された暖気を前記吸い込み空気の一部により前記外部排気ダクトに誘導する内部排気ダクトとを有する。
【００１９】
また、請求項２に記載の発明では、請求項１に記載のラックマウント式冷却装置において、前記冷却部と前記放熱部とを一体化し、かつ装置全体をユニット化したことを特徴とする。
したがって、既設の空調設備では冷却能力が不足するような発熱密度の高いラックを個別に冷却することができる。
【００２０】
さらに、ラック内に搭載する冷却装置の台数を増加させることにより、容易に冷却能力を向上させることができる。
また、ラック内において、冷却装置を発熱量の大きい装置（熱負荷）の直下に設置することにより、効果的に当該装置を冷却することができる。
【００２１】
請求項３に記載の発明によれば、請求項１または２のいずれかに記載のラックマウント式冷却装置において、装置本体の外部に吸い込み空気及び冷却空気いずれか一方または双方の方向を調整する気流ガイドを有するので、熱負荷の特定部位を効果的に冷却することができる。
【図面の簡単な説明】
【図１】  本発明の実施形態に係るラックマウント式冷却装置の構成を示す平面図。
【図２】  本発明の実施形態に係るラックマウント式冷却装置の構成を示す正面図。
【図３】  本発明の実施形態に係るラックマウント式冷却装置をラック内に収容した状態を示す説明図。
【図４】  本発明の実施形態に係るラックマウント式冷却装置を複数台、ラック内に収容した状態を示す説明図。
【図５】  本発明の実施形態に係るラックマウント式冷却装置の冷却装置本体に気流ガイドを設けた構成例を示す説明図。
【図６】  本発明の実施形態に係るラックマウント式冷却装置をラック内に取り付けた状態を示す正面図及び平面図。
【符号の説明】
１、１Ａ、１Ｂ…ラックマウント式冷却装置
１０Ａ、１０Ｂ…冷却部
１２Ａ、１２Ｂ…放熱部
１４…電源部
１６…内部排気ダクト
１８…外部排気ダクト
２０…ラック
２２〜２８…換気ファン
３０Ａ〜３０Ｄ…電子機器（発熱負荷）
【図１】
0003691441.tif 000002
【図２】
0003691441.tif 000003
【図３】
0003691441.tif 000004
【図４】
0003691441.tif 000005
【図５】
0003691441.tif 000006
【図６】
0003691441.tif 000007